(57)【要約】【課題】  自動車の車内等の日射可能な場所を消臭できると共に、夜間等において自動車の車内等が暗い場合でも写真を明瞭に視認することができる消臭機能付き写真立ての提供。【解決手段】  消臭機能付き写真立ては、自動車の車内等の日射可能な場所の所定位置に配置される基部１０と、基部１０に回動自在に取付けられ、起立状態と倒伏状態との間で回動自在とされる略板状の折畳み部２０と、折畳み部２０の内側面側に設けられ、所定寸法の写真を挿脱自在な写真立て部３０と、折畳み部２０の外側面側に設けられ、光触媒機能により消臭機能を発揮する消臭部としての多数の粒状の光触媒４０とを備える。【選択図】  図１
2006149574.tif 000002
【特許請求の範囲】
【請求項１】
日射可能な場所の所定位置に配置される基部と、
前記基部に回動自在に取付けられ、起立状態と倒伏状態との間で回動自在とされる略板状の折畳み部と、
前記折畳み部の内側面側に設けられ、所定寸法の写真を挿脱自在な写真立て部と、
前記折畳み部の外側面側に設けられ、光触媒機能により消臭機能を発揮する消臭部と
を備えることを特徴とする消臭機能付き写真立て。
【請求項２】
日射可能な場所の所定位置に配置して固定される略板状の基部と、
前記基部を、前記日射可能な場所の所定位置に着脱自在に固定する固定手段と、
前記基部に回動自在に取付けられ、起立状態と倒伏状態との間で回動自在とされ、前記倒伏状態で前記基部上に重ね合わせて折畳まれる略板状をなし、その内部に収容空間を形成すると共に、その少なくとも外側面側において前記収容空間に対応する部分に、前記収容空間と前記外側面側の外部空間とを連通して、それらの間での通気及び透光を許容する多数の連通用開口を形成した折畳み部と、
前記折畳み部の内側面側に設けられ、所定寸法の写真を挿脱自在な写真立て部と、
前記折畳み部の収容空間内に収容される多数の粒状の光触媒とを備え、
前記基部の連通用開口が、前記日射可能な場所の所定位置において太陽光を最も受ける任意の方向及び位置に配置されるよう、前記固定手段により前記基部を方向調節及び位置調節して固定自在としたことを特徴とする消臭機能付き写真立て。
【請求項３】
更に、前記基部の上面側に配設され、少なくとも、前記折畳み部を前記起立状態としたときに、前記折畳み部の写真立て部のみに向かって所定波長域の光を照射自在な光源を備えることを特徴とする請求項１または２記載の消臭機能付き写真立て。
【請求項４】
日射可能な場所の所定位置に配置して固定される略板状の基部と、
前記基部の内部に配設された二次電池と、
前記基部の上面側に配設され、前記二次電池からの給電により発光し、少なくとも、前記折畳み部を前記起立状態としたときに、前記折畳み部の写真立て部のみに向かって所定波長域の光を照射自在な光源と、
前記基部を、前記日射可能な場所の所定位置に着脱自在に固定する固定手段と、
前記基部に回動自在に取付けられ、起立状態と倒伏状態との間で回動自在とされ、前記倒伏状態で前記基部上に重ね合わせて折畳まれる略板状をなし、その内部に収容空間を形成すると共に、その少なくとも外側面側において前記収容空間に対応する部分に、前記収容空間と前記外側面側の外部空間とを連通して、それらの間での通気及び透光を許容する多数の連通用開口を形成した折畳み部と、
前記折畳み部の前記連通用開口部分以外の部分に配設され、前記二次電池に給電自在なソーラパネルと、
前記折畳み部の内側面側に設けられ、所定寸法の写真を挿脱自在な写真立て部と、
前記折畳み部の収容空間内に収容される多数の粒状の光触媒とを備え、
前記折畳み部の厚さ方向一側面の連通用開口及び前記ソーラパネルが前記日射可能な場所の所定位置において太陽光を最も受ける任意の方向及び位置に配置されるよう、前記固定手段により前記基部を方向調節及び位置調節して固定自在としたことを特徴とする消臭機能付き写真立て。
【請求項５】
前記連通用開口は、厚さ方向外側に配置される第１の開口と、前記第１の開口に連続して厚さ方向内側に配置される第２の開口とからなる段付き孔とされ、前記第１の開口に対する前記第２の開口の位置を前記収納部の幅方向中央側に所定の変位寸法だけずらして配置したことを特徴とする請求項２乃至４のいずれか１項記載の消臭機能付き写真立て。
【請求項６】
前記折畳み部は、更に、前記厚さ方向他側面で開口し、前記収容空間と前記写真立て部側の外部空間とを連通して、それらの間での通気及び透光を許容する多数の第２の連通用開口を含むことを特徴とする請求項２乃至５のいずれか１項記載の消臭機能付き写真立て。
【請求項７】
更に、前記光触媒の光吸収波長域の発光スペクトルを有し、前記折畳み部を前記倒伏状態として前記基部上に重ね合わせて折畳んだときに、前記折畳み部の第２の連通用開口部分の略全面に前記光吸収波長域の光を照射する光触媒照明用の第２の光源を備え、
前記写真立て部に写真を入れないときは前記折畳み部を倒伏状態とすることにより、前記光触媒用光源から前記折畳み部の厚さ方向他側面における第２の連通用開口部分の略全面に前記光吸収波長域の光を照射して、前記第２の連通用開口を介して前記折畳み部の収容空間内部の光触媒に前記光吸収波長域の光を照射するようにしたことを特徴とする請求項６記載の消臭機能付き写真立て。
【請求項８】
前記写真立て部の外周に沿って外周縁部を形成し、前記折畳み部の第２の連通用開口を、前記写真立て部の外周縁部の内側面側の略全面にわたって多数形成して、前記折畳み部の第２の連通用開口が、前記写真立て部内に収容した写真の外周側に露出して配置されるようにし、前記写真立て部に写真を収容したときでも、前記折畳み部の第２の連通用開口が、前記折畳み部の収容空間と前記写真立て部側の外部空間とを連通して、それらの間での通気及び透光を許容するようにし、
前記光源は、前記光触媒の光吸収波長域から可視光の波長域の光を照射自在であり、前記折畳み部の写真立て部に写真を入れたときに、前記折畳み部の第２の連通用開口を介して、前記折畳み部の収容空間内の前記光触媒に光吸収波長域の光を照射して光活性を生じさせ、かつ、前記写真立て部の写真には可視光の波長域の光を照射して照明するようにしたことを特徴とする請求項６記載の消臭機能付き写真立て。
【請求項９】
前記光源及び前記光触媒照明用の第２の光源を、前記光触媒の光吸収波長域から可視光の波長域の発光スペクトルを有する単一の発光ダイオードにより共通化して構成し、前記折畳み部の写真立て部への照明及び前記第２の連通用開口を介した前記光触媒への照明を前記発光ダイオードにより同時に行うようにしたことを特徴とする請求項８記載の消臭機能付き写真立て。
【請求項１０】
前記光源は、紫外光から青色光の波長域の光を照射する発光ダイオードからなり、前記折畳み部の写真立て部に写真を入れたときに、前記光源から前記折畳み部の内側面の略全面に前記光を照射して、前記折畳み部の収容空間内の前記光触媒には、前記写真立て部の外周縁部の前記第２の連通用開口を介して前記紫外光を照射すると共に、前記写真立て部の写真には、前記青色光を照射して前記写真立て部内の写真を照明するようにしたことを特徴とする請求項８または９記載の消臭機能付き写真立て。
【発明の詳細な説明】
【技術分野】
【０００１】
本発明は、光触媒を利用して消臭等の機能を付加した消臭機能付き写真立てに関する。
【背景技術】
【０００２】
従来、自動車の車内（室内）に配置される装飾装置として、例えば、特許文献１に記載の技術がある。
【特許文献１】特開２００３−０７２２９８号公報
【０００３】
特許文献１に記載の装飾装置は、装飾具本体を有している。装飾具本体は、小さいカレンダー、写真又は消臭物等を挿入収納した各種形状の装飾体と、該装飾体を装着する各種形状の取付具と、該取付具に数個の接続部材を介在した回動自在の挟持具とより構成されている。次に、該取付具には、Ｌ型接続具を回動自在に嵌合し、該Ｌ型接続具には、直接に該挟持具を接続するか、単数又は複数のＩ型接続具を接続して先端に該挟持具を回動自在に連結してある。また、該Ｉ型接続具には、Ｔ型接続具を接続して該挟持具を回動自在に嵌合接続してある。前記Ｌ型接続具の一方には、該取付具に回動自在に嵌合する挿嵌突部が形成され、他方には該Ｉ型接続具の挿嵌突部を挿入する挿入口が形成されている。更に、該Ｔ型接続具には、一方に回動自在の挿嵌突部が突設され、他方に挿入口が形成されている。且つ、該Ｔ型接続具には、垂直方向に該挟持具等を回動自在に嵌合できる突出筒体が突設してある。また、該挟持具には、基部に回動自在の挿嵌突部が形成されると共に、先端には把手部が形成されている。
【発明の開示】
【発明が解決しようとする課題】
【０００４】
ここで、特許文献１に記載の技術によれば、装飾体が独自に可動であり、また、複数の装飾体を装設できる。しかし、特許文献１に記載の技術は、装飾効果のみを意図したものであり、消臭機能等の他の機能の付与を意図したものではない。また、夜間において、自動車の車内は、運転者の運転操作等に支障を来たさないよう、消灯されて暗室となることから、特許文献１に記載の技術を写真立てとして利用する場合、装飾体に収納した写真を運転者等が見ることは困難である。
【０００５】
そこで、本発明は、自動車の車内等、日射可能な場所に配置され、その場所で消臭機能を発揮できると共に、夜間等において前記自動車の車内等の日射可能な場所が暗い場合でも写真を明瞭に視認することができる消臭機能付き写真立ての提供を課題とする。
【課題を解決するための手段】
【０００６】
請求項１に係る消臭機能付き写真立ては、日射可能な場所の所定位置に配置される基部と、前記基部に回動自在に取付けられ、起立状態と倒伏状態との間で回動自在とされる略板状の折畳み部と、前記折畳み部の内側面側に設けられ、所定寸法の写真を挿脱自在な写真立て部と、前記折畳み部の外側面側に設けられ、光触媒機能により消臭機能を発揮する消臭部とを備える。
【０００７】
請求項２に係る消臭機能付き写真立ては、日射可能な場所の所定位置に配置して固定される略板状の基部と、前記基部を、前記自動車の車内において着脱自在に固定する固定手段と、前記基部に回動自在に取付けられ、起立状態と倒伏状態との間で回動自在とされ、前記倒伏状態で前記基部上に重ね合わせて折畳まれる略板状をなし、その内部に収容空間を形成すると共に、その少なくとも外側面側において前記収容空間に対応する部分に、前記収容空間と前記外側面側の外部空間とを連通して、それらの間での通気及び透光を許容する多数の連通用開口を形成した折畳み部と、前記折畳み部の内側面側に設けられ、所定寸法の写真を挿脱自在な写真立て部と、前記折畳み部の収容空間内に収容される多数の粒状の光触媒とを備え、前記基部の連通用開口が、前記日射可能な場所の所定位置において太陽光を最も受ける任意の方向及び位置に配置されるよう、前記固定手段により前記基部を方向調節及び位置調節して固定自在とした。
【０００８】
請求項３に係る消臭機能付き写真立ては、請求項１または２の構成において、更に、前記基部の上面側に配設され、少なくとも、前記折畳み部を前記起立状態としたときに、前記折畳み部の写真立て部のみに向かって所定波長域の光を照射自在な光源を備える。
【０００９】
請求項４に係る消臭機能付き写真立ては、日射可能な場所の所定位置に配置して固定される略板状の基部と、前記基部の内部に配設された二次電池と、前記基部の上面側に配設され、前記二次電池からの給電により発光し、少なくとも、前記折畳み部を前記起立状態としたときに、前記折畳み部の写真立て部のみに向かって所定波長域の光を照射自在な光源と、前記基部を、前記自動車の車内において着脱自在に固定する固定手段と、前記基部に回動自在に取付けられ、起立状態と倒伏状態との間で回動自在とされ、前記倒伏状態で前記基部上に重ね合わせて折畳まれる略板状をなし、その内部に収容空間を形成すると共に、その少なくとも外側面側において前記収容空間に対応する部分に、前記収容空間と前記外側面側の外部空間とを連通して、それらの間での通気及び透光を許容する多数の連通用開口を形成した折畳み部と、前記折畳み部の前記連通用開口部分以外の部分に配設され、前記二次電池に給電自在なソーラパネルと、前記折畳み部の内側面側に設けられ、所定寸法の写真を挿脱自在な写真立て部と、前記折畳み部の収容空間内に収容される多数の粒状の光触媒とを備え、前記折畳み部の厚さ方向一側面の連通用開口及び前記ソーラパネルが前記日射可能な場所の所定位置において太陽光を最も受ける任意の方向及び位置に配置されるよう、前記固定手段により前記基部を方向調節及び位置調節して固定自在とした。
【００１０】
請求項５に係る消臭機能付き写真立ては、請求項２乃至４のいずれかの構成において、前記連通用開口が、厚さ方向外側に配置される第１の開口と、前記第１の開口に連続して厚さ方向内側に配置される第２の開口とからなる段付き孔とされ、前記第１の開口に対する前記第２の開口の位置を前記収納部の幅方向中央側に所定の変位寸法だけずらして配置した。
【００１１】
請求項６に係る消臭機能付き写真立ては、請求項２乃至５のいずれかの構成において、前記折畳み部が、更に、前記厚さ方向他側面で開口し、前記収容空間と前記写真立て部側の外部空間とを連通して、それらの間での通気及び透光を許容する多数の第２の連通用開口を含む。
【００１２】
請求項７に係る消臭機能付き写真立ては、請求項６の構成において、更に、前記光触媒の光吸収波長域の発光スペクトルを有し、前記折畳み部を前記倒伏状態として前記基部上に重ね合わせて折畳んだときに、前記折畳み部の第２の連通用開口部分の略全面に前記光吸収波長域の光を照射する光触媒照明用の第２の光源を備え、前記写真立て部に写真を入れないときは前記折畳み部を倒伏状態とすることにより、前記光触媒用光源から前記折畳み部の厚さ方向他側面における第２の連通用開口部分の略全面に前記光吸収波長域の光を照射して、前記第２の連通用開口を介して前記折畳み部の収容空間内部の光触媒に前記光吸収波長域の光を照射するようにした。
【００１３】
請求項８に係る消臭機能付き写真立ては、請求項６の構成において、前記写真立て部の外周に沿って外周縁部を形成し、前記折畳み部の第２の連通用開口を、前記写真立て部の外周縁部の内側面側の略全面にわたって多数形成して、前記折畳み部の第２の連通用開口が、前記写真立て部内に収容した写真の外周側に露出して配置されるようにし、前記写真立て部に写真を収容したときでも、前記折畳み部の第２の連通用開口が、前記折畳み部の収容空間と前記写真立て部側の外部空間とを連通して、それらの間での通気及び透光を許容するようにし、前記光源は、前記光触媒の光吸収波長域から可視光の波長域の光を照射自在であり、前記折畳み部の写真立て部に写真を入れたときに、前記折畳み部の第２の連通用開口を介して、前記折畳み部の収容空間内の前記光触媒に光吸収波長域の光を照射して光活性を生じさせ、かつ、前記写真立て部の写真には可視光の波長域の光を照射して照明するようにした。
【００１４】
請求項９に係る消臭機能付き写真立ては、請求項８の構成において、前記光源及び前記光触媒照明用の第２の光源を、前記光触媒の光吸収波長域から可視光の波長域の発光スペクトルを有する単一の発光ダイオードにより共通化して構成し、前記折畳み部の写真立て部への照明及び前記第２の連通用開口を介した前記光触媒への照明を前記発光ダイオードにより同時に行うようにした。
【００１５】
請求項１０に係る消臭機能付き写真立ては、請求項８または９の構成において、前記光源が、紫外光から青色光の波長域の光を照射する発光ダイオードからなり、前記折畳み部の写真立て部に写真を入れたときに、前記光源から前記折畳み部の内側面の略全面に前記光を照射して、前記折畳み部の収容空間内の前記光触媒には、前記写真立て部の外周縁部の前記第２の連通用開口を介して前記紫外光を照射すると共に、前記写真立て部の写真には、前記青色光を照射して前記写真立て部内の写真を照明するようにした。
【発明の効果】
【００１６】
請求項１に係る消臭機能付き写真立ては、自動車の車内を消臭できると共に、夜間等において自動車の車内が暗い場合でも写真を明瞭に視認することができる。特に、請求項１に係る消臭機能付き写真立ては、消臭部をフロントガラス側等の太陽光側に向けて配置することにより、効果的に消臭機能等の光触媒機能を発揮することができる。
【００１７】
請求項２に係る消臭機能付き写真立ては、自動車の車内を消臭できると共に、夜間等において自動車の車内が暗い場合でも写真を明瞭に視認することができる。特に、請求項２に係る消臭機能付き写真立ては、固定手段により、消臭部をフロントガラス側等の太陽光側に向けて配置固定することにより、効果的に消臭機能等の光触媒機能を発揮することができる。更に、請求項２に係る消臭機能付き写真立ては、折畳み部の収容空間内の多数の粒状の光触媒により、光触媒機能を効率よく発揮することができる。
【００１８】
請求項３に係る消臭機能付き写真立ては、請求項１または２の効果に加え、夜間等に置いて太陽光等の外光の照射が期待できないときにも、光源から写真立て部のみに光を照射して、写真の視認性を向上することができると共に、それ以外の部分には光を照射することがなく、運転操作等に支障を来たすことがない。
【００１９】
請求項４に係る消臭機能付き写真立ては、自動車の車内を消臭できると共に、夜間等において自動車の車内が暗い場合でも写真を明瞭に視認することができる。特に、請求項２に係る消臭機能付き写真立ては、固定手段により、消臭部をフロントガラス側等の太陽光側に向けて配置固定することにより、効果的に消臭機能等の光触媒機能を発揮することができる。また、請求項２に係る消臭機能付き写真立ては、折畳み部の収容空間内の多数の粒状の光触媒により、光触媒機能を効率よく発揮することができる。更に、太陽光の太陽エネルギーにより、光触媒に対する光活性付与とソーラパネルの発電とを同時に行うことができ、省エネルギー効果の高い製品とすることができる。
【００２０】
請求項５に係る消臭機能付き写真立ては、請求項２乃至４のいずれかの効果に加え、太陽光等の外光の大部分が、折畳み部の連通用開口の壁面により遮蔽されることなく、直接、連通用開口の第１の開口及び第２の開口を円滑に通過して、内部の収容空間に到達し、収容空間内の光触媒を一層効率良く活性化することができる。
【００２１】
請求項６に係る消臭機能付き写真立ては、請求項２乃至５のいずれかの効果に加え、折畳み部の外側面側の連通用開口のみならず、内側面側の第２の連通用開口を介しても、収容空間内の光触媒に光を透過して照射することができ、光活性を十分に生じさせることができる。
【００２２】
請求項７に係る消臭機能付き写真立ては、請求項６の効果に加え、折畳み部の倒伏状態で、第２の光源から折畳み部の第２の連通用開口に向かって発光し、収容空間内の光触媒に光を照射して光活性を生じさせることができる。このとき、折畳み部の内側面と基部の上面とにより閉塞空間が形成されるため、その閉塞空間内で第２の光源からの光が乱反射または拡散して、折畳み部の第２の連通用開口の全面にわたって均一に照射され、収容空間内の光触媒への光吸収効率を高めることができる。
【００２３】
請求項８に係る消臭機能付き写真立ては、請求項６の効果に加え、折畳み部の起立状態において、写真立て部に写真を入れた状態でも、第２の光源から折畳み部の第２の連通用開口に向かって発光し、第２の連通用開口を介して折畳み部の収容空間内の光触媒に光を照射し、光活性を生じさせることができる。
【００２４】
請求項９に係る消臭機能付き写真立ては、請求項８の効果に加え、単一の発光ダイオードにより、写真立て部の写真の照明と、折畳み部の第２の連通用開口を介した収容空間内の光触媒への光照射とを同時に行うことができる。
【００２５】
請求項１０に係る消臭機能付き写真立ては、請求項８または９の効果に加え、写真立て部の写真には、発光ダイオードの紫外光から青色光の波長域の光のうち、特に青色光が照射されることにより、夜間等の暗所における視認性を向上することができる（プルキニエ現象）。また、折畳み部の収容空間内の光触媒には、前記発光ダイオードの光のうち紫外光部分が照射され、光触媒の光活性を十分に生じさせることができる。
【発明を実施するための最良の形態】
【００２６】
以下、本発明を実施するための最良の形態（以下、実施の形態という）を説明する。なお、各実施の形態を通じ、同一の部材、要素または部分には同一の符号を付して、その説明を省略する。
【００２７】
実施の形態１
図１は本発明の実施の形態１に係る消臭機能付き自動車内用写真立てにおいて折畳み部を起立した状態を正面側から見て示す斜視図である。図２は本発明の実施の形態１に係る消臭機能付き自動車内用写真立てにおいて折畳み部を起立した状態を背面側から見て示す斜視図である。図３は本発明の実施の形態１に係る消臭機能付き自動車内用写真立てにおいて折畳み部を倒伏した状態を正面側から見て示す斜視図である。図４は本発明の実施の形態１に係る消臭機能付き自動車内用写真立てにおいて折畳み部を倒伏した状態を背面側から見て示す斜視図である。
【００２８】
本発明の実施の形態１は、消臭機能付き写真立てを、日射可能な場所としての自動車の車内に配置される消臭機能付き自動車用写真立てに具体化している。即ち、図１〜図４に示すように、実施の形態１に係る消臭機能付き自動車内用写真立ては、基部１０、折畳み部２０、写真立て部３０及び消臭部４０を備える。詳細には、基部１０は、略板状をなし、自動車の車内の所定位置に配置して固定される。また、折畳み部２０は、基部１０に回動自在に取付けられる略板状をなし、基部１０に対して、起立状態と倒伏状態との間で回動自在とされる。更に、写真立て部３０は、折畳み部２０の厚さ方向一側（内側面側）に設けられ、所定寸法の写真Ｐを挿脱自在（挿入及び抜取自在）となっている。また、消臭部４０は、折畳み部２０の厚さ方向他側（外側面側）に設けられ、光触媒機能により消臭機能等の諸機能を発揮する。
【００２９】
より詳細には、基部１０は、長方形略板状をなし、その上面の左右両端に、三角形板状をなす左右一対の突部１１を一体形成している。また、基部１０の上面の後端付近には、前記一対の突部１１間を連続するよう、前記突部１１の端部に対応する高さの隆起部１２が一体形成されている。一方、折畳み部２０は、回動軸部２１により、基部１０に対して前記起立状態と倒伏状態との間で回動自在となるよう取付けられる。そして、前記折畳み部２０を倒伏状態として折畳んだときに、折畳み部２０が左右一対の突部１１間の空間１１ａに収容され、全体がコンパクトな略平板状となるようになっている。このとき、基部１０の上面の後端中央には、倒伏状態の折畳み部２０を起立状態とするときに、折畳み部２０の上端を手指等により把持等しやすいように、湾曲形状の挿入凹部１２ａが形成されている。なお、折畳み部２０は、基部１０に対する開放角度を（９０度、９５度、１００度、１２０度等）段階的に調節できるよう、前記回動軸部２１内に噛合部を形成してもよい。好ましくは、折畳み部２０を基部１０に対して約１２０度の開放角度で停止し、その角度に保持できるよう、前記回動軸部２１内等に噛合部等の保持機構を設ける。また、折畳み部２０を倒伏状態として折畳んだときに、折畳み部２０が約５〜１０度の角度位置で一端停止し、その後、完全に折畳まれるよう、前記回動軸部２１内等に噛合部等の保持機構を設けることもできる。更に、折畳み部２０の下端の中央部の一定長さ範囲には、幅狭板状乃至短冊状の係止突起２２が、折畳み部の幅方向に対して所定傾斜角度で突出するよう一体形成されている。そして、折畳み部２０を起立状態としたときに、前記係止突起２２の内側面（基部１０側の面）が基部１０の前端面に当接して係止され、折畳み部２０の最大開放角度の起立状態に固定されるようになっている。
【００３０】
ここで、前記折畳み部２０の起立状態とは、折畳み部２０が基部１０に対して所定角度、即ち、運転者等が、折畳み部２０の内側面側の写真立て部３０に挿入した写真Ｐを明瞭に視認できるような角度で起立した状態をいう。よって、運転者等が、折畳み部２０の内側面側の写真立て部３０に挿入した写真Ｐを明瞭に視認できる限りにおいて、折畳み部２０を基部１０に対して任意の角度で起立するよう構成することができる。また、折畳み部２０の倒伏状態とは、折畳み部２０が基部１０上に折畳まれて重ね合わされた状態をいう。
【００３１】
基部１０の内部には、ニッケルカドミウム電池等からなるソーラライト用交換電池としての二次電池（蓄電池）１３が、交換可能な態様で収容配置されている。また、基部１０の上面側、即ち、折畳み部２０の倒伏状態（折畳み時）において折畳み部２０の内側面と対向する面側において、後端寄りの左右中央位置には、平面長方形状の凹部１４が形成され、凹部１４内にはソーラライトとしての光源を構成する発光ダイオード（ＬＥＤ）１５が収容配置されている。ＬＥＤ１５は、砲弾型ＬＥＤ等により構成することができる。また、ＬＥＤ１５としては、コストの面から黄色ＬＥＤを使用することが好ましいが、照明効率や視認性等の点から白色ＬＥＤや青色ＬＥＤ等の他の色のＬＥＤを使用することもできる。更に、基部１０の上面側において、前記凹部１４より後側には、スイッチ１６が配設されている。そして、スイッチ１６をオンすると、ＬＥＤ１５が、二次電池１３からの給電により発光し、少なくとも、折畳み部２０を前記起立状態としたときに、折畳み部２０の写真立て部３０の範囲のみに向かって所定波長域の光を照射するようになっている。即ち、ＬＥＤ１５は、所定の指向性を有する砲弾型ＬＥＤを使用する等して、その光指向性及び光照射角度乃至光照射範囲を調節し、少なくとも、折畳み部２０を起立状態としたときに、折畳み部２０の写真立て部３０のみに向かって所定波長域の光を照射するようになっている。具体的には、ＬＥＤ１５は所定の指向性を有しているが、図１中一点鎖線で示すように、ＬＥＤ１５から写真立て部３０までの距離と、写真立て部３０の左右寸法及び上下寸法とを考慮して、ＬＥＤ１５が写真立て部３０の上下左右の全範囲を照射可能な上下角度θｖ及び左右角度θｈを設定し、その上下角度θｖ及び左右角度θｈを実質的にカバーするような光照射範囲や指向性を有するＬＥＤ１５を使用することが好ましい。これにより、夜間等において太陽光等の外光の照射が期待できないときにも、ＬＥＤ１５から写真立て部３０のみに光を照射して、写真立て部３０内の写真Ｐの視認性を向上するようにすると共に、それ以外の部分に光を照射することなく、運転操作等に支障を来たさないようになっている。
【００３２】
一方、折畳み部２０は、上半部の内部に収容空間２３を形成している。また、折畳み部２０は、その厚さ方向一側面（外側面）において前記収容空間２３に対応する上半部に、左右に延びる連通用開口２４を形成している。前記連通用開口２４は、左右に延びる多数のスロット状（細溝状）の通気溝からなり、より詳細には、左右２列の多数の通気溝から構成されている。そして、連通用開口２４は、前記折畳み部２０の収容空間２３と前記厚さ方向一側面側の外部空間（車内空間）とを連通して、それらの間での通気及び透光を許容する。なお、連通用開口２４は、折畳み部２０の収容空間２３と前記厚さ方向一側面側の外部空間（車内空間）とを連通して、それらの間での通気及び透光を許容する限りにおいて任意の構成とすることができ、例えば、多数の円形、楕円形、角形等の通気孔から構成することもできる。更にまた、前記消臭部４０は、折畳み部２０の収容空間２３内に収容される多数の粒状の光触媒４０（例えば、光触媒ガラスビーズ（図示略））からなる。なお、前記収容空間２３及び多数の光触媒４０からなる消臭部は、折畳み部２０の内部に存在し、外部からは視認されないため、図１及び図２において破線で概略的に図示される。
【００３３】
実施の形態１では、太陽光等を折畳み部２０の連通用開口２４を介して収容空間２３内に導き、収容空間２３内の消臭部としての多数の光触媒４０に光を照射して、各光触媒４０に光活性を生じさせるようになっている。これにより、消臭部を構成する光触媒４０が、所定の消臭機能、殺菌機能等を発揮する。例えば、二酸化チタン等の光触媒４０は、タバコ等の臭いの元になるアンモニアや、その他のアセトアルデヒド、硫化水素等の有機成分を吸着及び分解して、最終的に無害及び無臭の成分（二酸化炭素や水等）に変性し、大気中に発散することにより消臭効果を発揮する。一方、折畳み部２０の連通用開口２４部分以外の部分、即ち、折畳み部２０の外側面側の下半部には、面状のソーラパネル（太陽電池）２５が配設されている。ソーラパネル２５は、日中における太陽光等を受けて発電し、基部１０内の前記二次電池１３に給電する。すると、二次電池１３が、ソーラパネル２５からの給電により蓄電するようになっている。なお、ソーラパネル２５は、折畳み部２０の外側面の下半部の幅方向のほぼ全体にわたる長さ（左右寸法）の横長長方形の面状をなしている。一方、連通用開口２４は、全体として、折畳み部２０の外側面の上半部の幅方向のほぼ全長にわたるよう、左右二段に設けられている。
【００３４】
実施の形態１では、折畳み部２０の厚さ方向一側面の連通用開口２４及びソーラパネル２５が、自動車の車内において太陽光（直射日光）を最も受ける任意の方向及び位置に配置されるよう、基部１０を方向調節及び位置調節して配置できるようになっている。なお、実施の形態１に係る消臭機能付き自動車内用写真立ては、前記基部１０を自動車の車内の所定位置、例えば、ダッシュボード上に載置して使用してもよいが、面ファスナー等の固定手段を基部１０の下面等に設け、かかる固定手段により基部１０を自動車の車内のダッシュボードの上面等に着脱自在に固定するようにしてもよい。この場合、折畳み部２０の厚さ方向一側面の連通用開口２４及びソーラパネル２５が、自動車の車内において太陽光（直射日光）を最も受ける任意の方向及び位置に配置されるよう、前記固定手段により基部１０を方向調節及び位置調節して固定することができる。そして、折畳み部２０の収容空間２３内の多数の粒状の光触媒４０による光触媒機能を最も効果的に発揮することができる。更に、前記折畳み部２０の回動軸部２１を段階的に回動自在としたり、係止突起２２による折畳み部２０の最大開放角度を適宜調節自在としたりして、折畳み部２０の連通用開口２４及びソーラパネル２５が、自動車の車内において太陽光（直射日光）を最も受ける任意の角度に配置されるようにすることもできる。
【００３５】
また、前記写真立て部３０は、前記折畳み部２０の内側面側に所定厚みで一体形成され、その前面には写真Ｐの外形より若干小さい外形の横長長方形状をなす開口３１が形成されている。また、写真立て部３０は、その側面側（右端側）の幅方向に延びるスロット状の挿入口３２から、写真をスライドさせて内部に挿入できるようになっている。なお、前記開口３１等を含め、写真立て部３０の形状及び寸法は、キャッシュカード等のカードサイズの写真Ｐを挿入できるよう設定されている。そして、普段は財布やカードケース等に入れている家族や恋人等が写った写真Ｐを、そのまま挿入口３２から写真立て部３０に入れることができるようになっている。更に、写真立て部３０の挿入口３２の上下中央位置には、半円形の切込み３２ａが形成され、内部に挿入した写真を写真立て部３０の外部に容易に取り出せるようになっている。
【００３６】
なお、前記基部１０及び折畳み部２０は、それぞれ、所定の合成樹脂等を射出成形等により所定形状に一体形成することができる。また、前記基部１０の内部には、二次電池１３、ＬＥＤ１５、スイッチ１６、ソーラパネル２５等の各種電子部品を電気的に接続する回路基盤（図示略）が配設されている。
【００３７】
次に、上記のように構成した実施の形態１に係る消臭機能付き自動車内用写真立てを使用する場合、まず、消臭機能付き自動車内用写真立てを自動車の車内の所定位置、例えば、運転者等が容易に視認できるダッシュボードの中央部上面位置等に配置する。このとき、消臭機能付き自動車内用写真立ては、その前端側（回動軸部２１側）が自動車のフロントガラス側に位置するよう配置し、写真立て部３０が運転者側を向くようにする。すると、日中においては、太陽光等の外光が、折畳み部２０の外側面の連通用開口２４を介して、折畳み部２０の収容空間２３内の光触媒４０に照射され、多数の光触媒４０が光活性を生じて所定の光触媒機能（消臭機能等）を発揮する。また、太陽光等の外光により、折畳み部２０の外側面に配設したソーラパネル２５が発電し、基部１０内の二次電池１３に蓄電する。なお、このとき、折畳み部２０の起立角度を調節して所定角度の起立状態とすることにより、折畳み部２０の外側面を太陽光の直射をもっと設けやすい角度に配置することができる。こうすると、折畳み部２０の外側面の連通用開口２４及びソーラパネル２５に対して、太陽光を最も効率良く照射することができ、光触媒４０の消臭効率及びソーラパネル２５の発電効率を向上することができる。
【００３８】
一方、写真立て部３０に写真Ｐを入れ、折畳み部２０を起立状態とすることにより、運転者等が、運転席等からも写真立て部３０の写真Ｐを視認することができる。また、夜間やトンネル等の暗所においては、スイッチ１６をオンしてＬＥＤ１５を発光させることにより、ＬＥＤ１５が写真立て部３０の範囲のみに光を照射して写真Ｐを照明することができるため、夜間等においても、運転者等が写真立て部３０の写真Ｐを明瞭に視認することができる。なお、不要な場合、スイッチ１６をオフしてＬＥＤ１５を消灯することができる。
【００３９】
このように、実施の形態１に係る消臭機能付き自動車内用写真立ては、太陽エネルギーを、光触媒４０による消臭及びソーラパネル２５による発電の両者に利用し、省エネルギー効果を高めている。ここで、夜間に自動車を運転して帰宅するようなときには、運転者は、できるだけ帰宅したいという気持ちになることもあり、速度超過になりやすい傾向がある。また、夜間の道路で、自動車を一人で長時間運転していると、眠気（睡魔）が襲ってくることもある。このような場合でも、実施の形態１に係る消臭機能付き自動車内用写真立てを自動車の車内のダッシュボード上等、運転者の近くに配置すると、運転者が、写真立て部３０内の写真Ｐに写った大切な家族や恋人等を視認することができる。すると、運転者は、大切な家族や恋人等の存在を身近に感じることができ、速度超過になりそうな場合でも速度を緩めたり、眠気が襲ってきた場合でも眠気を追い払って軽減したりできるようになると期待される。更に、実施の形態１に係る消臭機能付き自動車内用写真立ては、単なる写真立てとしてではなく、日中の太陽光により、消臭部としての光触媒４０により消臭効果を発揮すると共に、ソーラパネル２５による発電を行う。そして、ソーラパネル２５により二次電池１３への蓄電を行い、夜間等には、運転者等がスイッチ１６をオンすることにより、ＬＥＤ１５を発光させて、写真立て部３０の写真Ｐを照明することができるようにしている。
【００４０】
実施の形態２
図５は本発明の実施の形態２に係る消臭機能付き自動車内用写真立てにおいて折畳み部を起立すると共に電池収納部の蓋を開いた状態を正面側から見て示す斜視図である。図６は本発明の実施の形態２に係る消臭機能付き自動車内用写真立てにおいて折畳み部を起立すると共に電池収納部の蓋を開いた状態を示す斜視図である。図７は本発明の実施の形態２に係る消臭機能付き自動車内用写真立てにおいて折畳み部を倒伏した状態を正面側から見て示す斜視図である。図８は本発明の実施の形態２に係る消臭機能付き自動車内用写真立てにおいて折畳み部を倒伏した状態を背面側から見て示す斜視図である。図９は本発明の実施の形態２に係る消臭機能付き自動車内用写真立てにおいて折畳み部を倒伏した状態を示す平面図である。図１０は本発明の実施の形態２に係る消臭機能付き自動車内用写真立てにおいて折畳み部を倒伏した状態を示す底面図である。図１１は本発明の実施の形態２に係る消臭機能付き自動車内用写真立てにおいて折畳み部を倒伏した状態を示す正面図である。図１２は本発明の実施の形態２に係る消臭機能付き自動車内用写真立てにおいて折畳み部を倒伏した状態を示す背面図である。図１３は本発明の実施の形態２に係る消臭機能付き自動車内用写真立てにおいて折畳み部を倒伏した状態を示す右側面図である。図１４は本発明の実施の形態２に係る消臭機能付き自動車内用写真立てにおいて折畳み部を倒伏した状態を示す左側面図である。図１５は本発明の実施の形態２に係る消臭機能付き自動車内用写真立ての収納部の筐体を示す断面図であり、連通用開口部分を拡大して示す。
【００４１】
本発明の実施の形態２は、実施の形態１と同様、消臭機能付き写真立てを、日射可能な場所としての自動車の車内に配置される消臭機能付き自動車用写真立てに具体化している。即ち、実施の形態２に係る消臭機能付き自動車内用写真立ては、図５〜図１５に示すように、実施の形態１に係る消臭機能付き自動車内用写真立てと同様、基部１１０及び折畳み部１２０を備える。実施の形態１と同様、基部１１０の内側面側には写真立て部３０が一体的に設けられている。また、折畳み部１２０の略上半部の内部には、消臭部４０と同様の光触媒を配設した消臭部が設けられている。更に、実施の形態１と同様、基部１１０は、略板状をなし、自動車の車内の所定位置に配置して固定される。また、折畳み部１２０は、基部１１０に回動自在に取付けられる略板状をなし、基部１１０に対して、起立状態と倒伏状態との間で回動自在とされる。
【００４２】
より詳細には、基部１１０は、実施の形態１の基部１０とほぼ同様の長方形略板状をなしている。また、折畳み部１２０は、実施の形態１と同様、回動軸部２１により、基部１１０に対して前記起立状態と倒伏状態との間で回動自在となるよう取付けられる。一方、折畳み部１２０は、実施の形態１の折畳み部２０とは若干形状が異なり、倒伏状態として折畳んだときに、基部１１０の左右一対の突部１１間の空間１１ａに全体が収容されるようになっている。このように、実施の形態１に係る消臭機能付き自動車内用写真立ては、折畳み部２０を倒伏状態としたときに、折畳み部２０の一部（上端側部分）が基部１０から若干突出するが、実施の形態２に係る消臭機能付き自動車内用写真立ては、折畳み部１２０を倒伏状態としたときに、折畳み部１２０の全体が基部１１０の両突部１１間の空間内に完全に収納され、全体が、基部１１０の外形に対応するコンパクトな断面略三角形状の略平板状となるようになっている。即ち、このとき、折畳み部１２０の左右両側面１２０ａが、基部１１０の両突部１１の内面に完全に対向して当接すると共に、折畳み部１２０の上端面が基部１１０の隆起部１２の内面に完全に対向して当接するようになっている。なお、実施の形態２では、実施の形態１のような係止突起２２は省略されている。よって、実施の形態２では、実施の形態１と同様、折畳み部１２０を、基部１１０に対して、実施の形態１と同様の所定の単一の開放角度に保持し、または、所定の複数の開放角度のうちのいずれかの角度に調節できるよう、前記回動軸部２１内に噛合部等の機構を設けることが好ましい。また、実施の形態２においても、折畳み部１２０の起立状態とは、折畳み部１２０が基部１１０に対して所定角度、即ち、運転者等が、折畳み部１２０の内側面側の写真立て部３０に挿入した写真Ｐを明瞭に視認できるような角度で起立した状態をいう。また、折畳み部１２０の倒伏状態とは、折畳み部１２０が基部１１０上に折畳まれて完全に重ね合わされた状態をいう。
【００４３】
また、実施の形態２に係る消臭機能付き自動車内用写真立ては、図５に示すように、前記基部１１０の右側に、実施の形態１の二次電池１３と同様の二次電池（図示略）を収納配置するための収納部１１３ａと、収納部の上端開口を開閉自在に閉塞するための蓋体１１３ｂとが配設されている。更に、基部１１０内には、実施の形態１と同様の回路基盤が配設されている。また、基部１１０の上面側において、後端寄りの左右中央位置には、平面円形状の凹部１１４が形成され、凹部１１４内にはＬＥＤ１５が収容配置されている。そして、二次電池を収納部１１３ａに収納配置することにより、二次電池から回路基盤へ通電可能な状態となり、スイッチ１６をオンすると、ＬＥＤ１５が、二次電池からの給電により発光し、起立状態にある折畳み部１２０の写真立て部３０の範囲のみに向かって所定波長域の光を照射するようになっている。ＬＥＤ１５の凹部１４内への配置態様は、実施の形態１と同様とすることができる。
【００４４】
一方、折畳み部１２０は、実施の形態１の折畳み部２０と同様、上半部の内部に収容空間（図示略）を形成すると共に、その厚さ方向一側面（外側面）において前記収容空間に対応する上半部に連通用開口２４を形成している。前記連通用開口２４は、実施の形態１と同様、折畳み部１２０の外側面の上半部を左右方向略全体にわたって延びる。なお、実施の形態２においても、太陽光等を折畳み部１２０の連通用開口２４を介して収容空間内に導き、収容空間内の消臭部としての多数の光触媒に光を照射して、各光触媒に光活性を生じさせるようになっている。ここで、実施の形態２に係る消臭機能付き自動車内用写真立ては、ソーラパネル１２５及び消臭部１４０の配置面積及び配置位置において、実施の形態１に係る消臭機能付き自動車内用写真立てと若干異なる。即ち、実施の形態２では、ソーラパネル１２５は、折畳み部１２０の外側面の下半部（屈曲部より下側の部分）の幅方向中央部分に相当する長さ（左右寸法）の正方形または若干横長の長方形の面状をなしている。一方、連通用開口２４は、折畳み部１２０の形状が実施の形態１の折畳み部２０と異なることに伴い、外側面の上半部（屈曲部より上側の部分）において、その幅方向のほぼ全長にわたるよう、左右二段に設けられている。
【００４５】
実施の形態２では、実施の形態１と同様、折畳み部１２０の厚さ方向一側面の連通用開口２４及びソーラパネル１２５が、自動車の車内において太陽光（直射日光）を最も受ける任意の方向及び位置に配置されるよう、基部１１０を方向調節及び位置調節して配置できるようになっている。また、実施の形態２に係る消臭機能付き自動車内用写真立ては、前記基部１１０を自動車の車内の所定位置、例えば、ダッシュボード上の所望位置に載置して使用できるよう、図６に示すように、面ファスナーや両面接着テープ等の固定手段１５１を基部１１０の下面中央に設けている。そして、かかる固定手段１５１により基部１１０を自動車の車内のダッシュボードの上面等の所望位置に着脱自在に固定するようにしている。この場合、折畳み部１２０の厚さ方向一側面の連通用開口２４及びソーラパネル１２５が、自動車の車内において太陽光（直射日光）を最も受ける任意の方向及び位置に配置されるよう、前記固定手段１５１により基部１１０を方向調節及び位置調節して固定することができる。なお、実施の形態２に係る消臭機能付き自動車内用写真立ては、実施の形態１に係る消臭機能付き自動車内用写真立てと同様にして使用され、同様の作用及び効果を発揮する。
【００４６】
更に、実施の形態２に係る消臭機能付き自動車内用写真立ては、図１５に示すように、折畳み部１２０のケース１２０Ａの内部空間の上側には前記光触媒４０を収容するための前記収容空間２３が形成されている。また、折畳み部１２０のケース１２０Ａに形成する連通用開口２４は、第１の開口２４ａ及び第２の開口２４ｂからなる段付き孔とされている。即ち、各連通用開口２４は、厚さ方向の外側の略半部を断面矩形状の第１の開口２４ａとし、厚さ方向の内側の略半部を断面矩形状の第２の開口２４ｂとしている。また、第１の開口２４ａ及び第２の開口２４ｂは、連通用開口２４の幅方向に位置を若干ずらして配置され、互いに連通している。具体的には、第２の開口２４ｂは、第１の開口２４ａに対して、折畳み部１２０のケース１２０Ａの幅方向中央の隆起部分側へと若干寸法だけ位置をずらして、例えば、連通用開口２４の幅の１／４〜１／５程度の変位寸法だけ位置をずらして、第１の開口２４ａと平行となるよう配置されている。このように、実施の形態２では、折畳み部１２０の連通用開口２４は、厚さ方向外側に配置される第１の開口２４ａと、前記第１の開口２４ａに連続して厚さ方向内側に配置される第２の開口２４ｂとからなる段付き孔とされ、第１の開口２４ａに対する第２の開口の位置を折畳み部１２０の幅方向中央側に所定の変位寸法だけずらして配置している。したがって、基部１１０を自動車のダッシュボード等の略水平面に配置して固定し、折畳み部１２０を基部１１０に対して倒伏状態としたときに、連通用開口２４の第２の開口２４ｂが第１の開口２４ａより若干量、（例えば、前記変位寸法だけ）下方に位置する。その結果、図１５中の矢印で示すように、太陽光等の外光Ｌの大部分が、折畳み部１２０のケース１２０Ａの連通用開口２４の壁面により遮蔽されることなく、直接、連通用開口２４の第１の開口２４ａ及び第２の開口２４ｂを円滑に通過して、内部の収容空間２３に到達し、収容空間２３内の光触媒４０を一層効率良く活性化することができる。
【００４７】
実施の形態３
図１６は本発明の実施の形態３に係る消臭機能付き自動車内用写真立てにおいて折畳み部を起立した状態を正面側から見て示す斜視図である。
実施の形態３に係る消臭機能付き自動車内用写真立ては、図１６に示すように、実施の形態３に係る消臭機能付き自動車内用写真立てにおいて、折畳み部２０の外側面側に前記連通用開口２４を形成することに加え、折畳み部２０の内側面側にも多数の第２の連通用開口２２４を形成している。即ち、第２の連通用開口２２４を折畳み部２０の内側面２０ａで開口し、第２の連通用開口２２４により、前記収容空間２３と写真立て部３０側の外部空間とを連通して、それらの間での通気及び透光を許容するようにしている。なお、第２の連通用開口２２４は、前記連通用開口２４と同様、多数の通気孔または通気溝から構成することができる。こうすると、太陽光等が、折畳み部２０の連通用開口２４及び第２の連通用開口２２４の両者を透過して光触媒４０に照射され、光触媒４０に一層効率よく光活性を生じさせることができる。この場合、折畳み部２０の第２の連通用開口２２４は、内側面側において前記収容空間２３に対応する部分の略全面にわたって設けてもよいし、内側面側において前記収容空間２３に対応する部分の一部に設けてもよい。
【００４８】
更に、実施の形態３に係る消臭機能付き自動車内用写真立ては、写真立て部３０に向かって光Ｌ１を照射する前記ＬＥＤ１５に加え、第２のＬＥＤ２１５を設けている。即ち、基部１０の上面側において、前記凹部１４を実施の形態１の場合より若干後方（スイッチ１６から離れる方向）にずらし、凹部１４とスイッチ１６との間の部分の左右中央位置に第２の凹部２１４を形成して、第２の凹部２１４内に第２のＬＥＤ２１５を収容配置する。また、第２のＬＥＤ２１５は、倒伏状態にある折畳み部２０において前記第２の連通用開口２２４に対応する位置に配置される。そして、位置センサ、近接センサ、リミットスイッチ等（図示略）により、折畳み部２０の倒伏時に、第２のＬＥＤ２１５を発光駆動して、倒伏状態にある折畳み部２０の第２の連通用開口に向かって光Ｌ２を照射するようになっている。こうすると、折畳み部２０の倒伏時にも、第２の連通用開口２２４を介して光触媒４０を活性化することができる。一方、第２のＬＥＤ２１５としては、光触媒４０の光吸収波長域の発光スペクトルを有するＬＥＤ、例えば、約３８０ｎｍ以下の波長の光（即ち、紫外線）を照射する紫外光ＬＥＤや、紫外光のみならず可視光の範囲の波長域であっても一般的なアナターゼ型光触媒の光吸収波長域とされる波長域（約３８０〜４１０ｎｍの範囲）の光（紫外光・青紫光・青色光等）を照射するＬＥＤを使用することができる。こうすると、第２のＬＥＤ２１５により、折畳み部２０を倒伏状態としたときに、折畳み部２０の第２の連通用開口２２４に前記光吸収波長域の光を照射して、第２の連通用開口２２４を介して、折畳み部２０の収容空間２３内の多数の光触媒４０をより効果的に活性化することができる。
【００４９】
実施の形態４
図１７は本発明の実施の形態４に係る消臭機能付き自動車内用写真立てにおいて折畳み部を起立した状態を正面側から見て示す斜視図である。
実施の形態３に係る消臭機能付き自動車内用写真立ては、図１７に示すように、実施の形態１に係る消臭機能付き自動車内用写真立てにおいて、写真立て部３０の外周に沿って外周縁部３０ａを形成すると共に、実施の形態３の第２の連通用開口２２４と同様の第２の連通用開口３２４を、写真立て部３０の外周縁部３０ａの内側面側の略全面にわたって多数形成しててる。そして、折畳み部２０の第２の連通用開口３２４は、写真立て部３０内に収容した写真Ｐの外周側に露出して配置され、写真立て部３０に写真Ｐを収容したときでも、折畳み部２０の第２の連通用開口３２４が、折畳み部２０の収容空間２３と写真立て部３０側の外部空間とを連通して、それらの間での通気及び透光を許容するようになっている。なお、実施の形態１のＬＥＤ１５に対応する光源としてのＬＥＤ３１５は、光触媒４０の光吸収波長域から可視光の波長域の光を照射自在であり、折畳み部２０の写真立て部３０に写真を入れたときに、折畳み部２０の第２の連通用開口３２４を介して、折畳み部２０の収容空間２３内の光触媒４０に光吸収波長域の光を照射して光活性を生じさせ、かつ、写真立て部３０の写真Ｐには可視光の波長域の光を照射して照明する。
【００５０】
ところで、本発明に係る消臭機能付き写真立ては、日射可能な場所、即ち、太陽光を直接または間接に受けることのできる場所であれば、任意の場所に配置することができ、上記各実施の形態では、その一例として、自動車の車内に配置して固定している。即ち、上記各実施の形態は、本発明に係る消臭機能付き写真立ての一例としての自動車内用消臭機能付き写真立てを説明するものであり、本発明に係る消臭機能付き写真立ては、これ以外にも、日射可能な場所であれば、自動車以外の任意の場所に配置して使用されるものである。
【００５１】
また、本発明に係る消臭機能付き写真立てにおいて、光源としてのＬＥＤは、光触媒４０の光吸収波長域である紫外光から可視光である青色光近辺の波長域の光を照射自在なＬＥＤとすることができる。即ち、通常、光触媒は、吸収端波長以下の波長、例えば、３８０〜４１０ｎｍの波長域の光を吸収するため、一般には、３９０ｎｍ以下の紫外線が光触媒の活性用に使用される。しかし、光触媒として可視光吸収型の光触媒を使用した場合、青色光等の可視光でも光触媒に光活性を生じさせることが可能である。また、ＬＥＤとして青色ＬＥＤを使用することもできる。この場合、ＬＥＤの発する青色光近辺の光は、プルキニエ現象により、夜間に最も視認しやすい色の光とされている。よって、この場合、ＬＥＤにより、写真立て部３０の写真Ｐに前記青色光近辺の光を照射して、夜間等の暗所における写真立て部３０内の写真Ｐの視認性を向上することができる。
【００５２】
また、本発明に係る消臭機能付き自動車用写真立てでは、前記写真用光源や光触媒用光源として、ＬＥＤ以外の光源、例えば、白熱電球、蛍光灯、ブラックライト等を使用することもできるが、長寿命、動作安定性、低消費電力、耐候性等の利点からＬＥＤを使用することが好ましい。また、本発明に係る消臭機能付き自動車用写真立てでは、光源用のスイッチ１６を省略し、光センサにより外部の光量を検出して光源を自動的にオンオフすることもできる。更に、ＬＥＤ等の光源の光照射範囲は、写真立て部３０のみとすることなく、写真立て部より若干外部に漏れる範囲としてもよい。即ち、赤色光等、自動車内から自動車外に漏れることが法律上禁止されるような色の光でなければ、ＬＥＤ等の光源から相当量の光が外部に照射されても特に問題はない。
【図面の簡単な説明】
【００５３】
【図１】図１は本発明の実施の形態１に係る消臭機能付き自動車内用写真立てにおいて折畳み部を起立した状態を正面側から見て示す斜視図である。
【図２】図２は本発明の実施の形態１に係る消臭機能付き自動車内用写真立てにおいて折畳み部を起立した状態を背面側から見て示す斜視図である。
【図３】図３は本発明の実施の形態１に係る消臭機能付き自動車内用写真立てにおいて折畳み部を倒伏した状態を正面側から見て示す斜視図である。
【図４】図４は本発明の実施の形態１に係る消臭機能付き自動車内用写真立てにおいて折畳み部を倒伏した状態を背面側から見て示す斜視図である。
【図５】図５は本発明の実施の形態２に係る消臭機能付き自動車内用写真立てにおいて折畳み部を起立すると共に電池収納部の蓋を開いた状態を正面側から見て示す斜視図である。
【図６】図６は本発明の実施の形態２に係る消臭機能付き自動車内用写真立てにおいて折畳み部を起立すると共に電池収納部の蓋を開いた状態を示す斜視図である。
【図７】図７は本発明の実施の形態２に係る消臭機能付き自動車内用写真立てにおいて折畳み部を倒伏した状態を正面側から見て示す斜視図である。
【図８】図８は本発明の実施の形態２に係る消臭機能付き自動車内用写真立てにおいて折畳み部を倒伏した状態を背面側から見て示す斜視図である。
【図９】図９は本発明の実施の形態２に係る消臭機能付き自動車内用写真立てにおいて折畳み部を倒伏した状態を示す平面図である。
【図１０】図１０は本発明の実施の形態２に係る消臭機能付き自動車内用写真立てにおいて折畳み部を倒伏した状態を示す底面図である。
【図１１】図１１は本発明の実施の形態２に係る消臭機能付き自動車内用写真立てにおいて折畳み部を倒伏した状態を示す正面図である。
【図１２】図１２は本発明の実施の形態２に係る消臭機能付き自動車内用写真立てにおいて折畳み部を倒伏した状態を示す背面図である。
【図１３】図１３は本発明の実施の形態２に係る消臭機能付き自動車内用写真立てにおいて折畳み部を倒伏した状態を示す右側面図である。
【図１４】図１４は本発明の実施の形態２に係る消臭機能付き自動車内用写真立てにおいて折畳み部を倒伏した状態を示す左側面図である。
【図１５】図１５は本発明の実施の形態２に係る消臭機能付き自動車内用写真立ての収納部の筐体を示す断面図であり、連通用開口部分を拡大して示す。
【図１６】図１６は本発明の実施の形態３に係る消臭機能付き自動車内用写真立てにおいて折畳み部を起立した状態を正面側から見て示す斜視図である。
【図１７】図１７は本発明の実施の形態４に係る消臭機能付き自動車内用写真立てにおいて折畳み部を起立した状態を正面側から見て示す斜視図である。
【符号の説明】
【００５４】
１０，１１０：基部、１３：二次電池、１５，３１５：ＬＥＤ（光源）
２０，１２０：折畳み部、２３：収容空間、２４：連通用開口
２４ａ：第１の開口、２４ｂ：第２の開口
２５，１２５：ソーラパネル、３０：写真立て部、３０ａ：外周縁部
４０：光触媒（消臭部）、２１５：第２のＬＥＤ(光源)
２２４，３２４：第２の連通用開口、  Ｐ：写真
【図１】
2006149574.tif 000003
【図２】
2006149574.tif 000004
【図３】
2006149574.tif 000005
【図４】
2006149574.tif 000006
【図５】
2006149574.tif 000007
【図６】
2006149574.tif 000008
【図７】
2006149574.tif 000009
【図８】
2006149574.tif 000010
【図９】
2006149574.tif 000011
【図１０】
2006149574.tif 000012
【図１１】
2006149574.tif 000013
【図１２】
2006149574.tif 000014
【図１３】
2006149574.tif 000015
【図１４】
2006149574.tif 000016
【図１５】
2006149574.tif 000017
【図１６】
2006149574.tif 000018
【図１７】
2006149574.tif 000019
【手続補正書】
【提出日】平成16年11月29日(2004.11.29)
【手続補正１】
【補正対象書類名】明細書
【補正対象項目名】００３５
【補正方法】変更
【補正の内容】
【００３５】
また、前記写真立て部３０は、前記折畳み部２０の内側面側に所定厚みで一体形成され、その前面には写真Ｐの外形より若干小さい外形の横長長方形状をなす開口３１が形成されている。また、写真立て部３０は、その側面側（右端側）の幅方向に延びるスロット状の挿入口３２から、写真をスライドさせて内部に挿入できるようになっている。なお、前記開口３１等を含め、写真立て部３０の形状及び寸法は、キャッシュカード等のカードサイズ、またはＬ版（縦約８８ｍｍ×横約１２７ｍｍ）等の所定サイズの写真Ｐを挿入できるよう設定されている。そして、普段は財布やカードケース等に入れている家族や恋人等が写った写真Ｐを、そのまま挿入口３２から写真立て部３０に入れることができるようになっている。更に、写真立て部３０の挿入口３２の上下中央位置には、半円形の切込み３２ａが形成され、内部に挿入した写真を写真立て部３０の外部に容易に取り出せるようになっている。
【手続補正書】
【提出日】平成16年11月29日(2004.11.29)
【手続補正１】
【補正対象書類名】明細書
【補正対象項目名】００４３
【補正方法】変更
【補正の内容】
【００４３】
また、実施の形態２に係る消臭機能付き自動車内用写真立ては、図５に示すように、前記基部１１０の右側に、実施の形態１の二次電池１３と同様の二次電池（図示略）を収納配置するための収納部１１３ａと、収納部の上端開口を開閉自在に閉塞するための蓋体１１３ｂとが配設されている。更に、基部１１０内には、実施の形態１と同様の回路基盤が配設されている。また、基部１１０の上面側において、後端寄りの左右中央位置には、平面円形状等の凹部１１４が形成され、凹部１１４内にはＬＥＤ１５が収容配置されている。そして、二次電池を収納部１１３ａに収納配置することにより、二次電池から回路基盤へ通電可能な状態となり、スイッチ１６をオンすると、ＬＥＤ１５が、二次電池からの給電により発光し、起立状態にある折畳み部１２０の写真立て部３０の範囲のみに向かって所定波長域の光を照射するようになっている。ＬＥＤ１５の凹部１４内への配置態様は、実施の形態１と同様とすることができる。